(57)【要約】      （修正有）【課題】アップリンク送信時間間隔（ＴＴＩ）バンドルにおける位相連続性を改善する方法を提供する。【解決手段】ＴＴＩバンドル中のＵＬサブフレームのセグメントを識別すること３０２と、ＴＴＩバンドル中のＵＬサブフレームのセグメントを通してノードにデータを送信するときに、実質的に同一の送信電力／タイミング／周波数を維持すること３０６を含む。更に、ＴＴＩバンドルの期間の間、ダウンリンクサブフレームの受信を無視することを含む。【選択図】図３
2018164260.tif 000002
【特許請求の範囲】
【請求項１】
ユーザ機器（ＵＥ）によるワイヤレス通信のための方法において、
データをノードに送信するための複数のアップリンク（ＵＬ）サブフレームを含む送信時間間隔（ＴＴＩ）バンドルを識別することと、
前記ＴＴＩバンドル中のＵＬサブフレームのセグメントを識別することと、
前記ＴＴＩバンドル中のＵＬサブフレームのセグメントを通してデータを前記ノードに送信するときに、送信電力を維持することとを含む方法。
【請求項２】
前記ＵＬサブフレームのセグメントは、仮定したコヒーレントな推定間隔に対応する請求項１記載の方法。
【請求項３】
前記ＵＬサブフレームのセグメントは、前記ＴＴＩバンドル中の複数のＵＬサブフレームに対応する請求項１記載の方法。
【請求項４】
前記セグメントのサイズは、準静的に構成されている請求項１記載の方法。
【請求項５】
前記ＴＴＩバンドル中の前記ＵＬサブフレームのセグメントを通して送信電力を維持することは、アップリンク電力制御コマンドを監視することをスキップすることか、または、前記アップリンク電力制御コマンドを監視するが、適用することをスキップすることのうちの少なくとも１つを含む請求項１記載の方法。
【請求項６】
前記ＴＴＩバンドル中の前記ＵＬサブフレームのセグメントを通して、タイミングまたは周波数のうちの少なくとも１つを維持することをさらに含む請求項１記載の方法。
【請求項７】
前記ＴＴＩバンドル中の前記ＵＬサブフレームのセグメントを通して、タイミングまたは周波数のうちの少なくとも１つを維持することは、同一のＴＴＩバンドルのセグメント毎のベースでＵＬ送信と周波数を更新することを含む請求項６記載の方法。
【請求項８】
セグメントにわたるＵＬタイミングと周波数の更新は、前記ノードによって発行されるタイミングアドバンス（ＴＡ）コマンドによってトリガされる請求項７記載の方法。
【請求項９】
前記ＴＡコマンドは、新たなセグメントの開始をシグナリングする請求項８記載の方法。
【請求項１０】
セグメントサイズは準静的に構成され、
前記ＵＥは、ＴＡコマンドを受信した後、次のセグメント中のＵＬタイミングと周波数を更新する請求項８記載の方法。
【請求項１１】
各セグメント内のＤＬ（ダウンリンク）とＵＬの両方に対して、時間と周波数の追跡をディセーブルすることをさらに含む請求項１記載の方法。
【請求項１２】
前記ＴＴＩバンドルの期間の間、ダウンリンクサブフレームを監視することをスキップすることをさらに含む請求項１記載の方法。
【請求項１３】
前記ノードから受信した信号に少なくとも部分的に基づいて、前記セグメントを通して送信電力を維持するか否かを決定することをさらに含む請求項１記載の方法。
【請求項１４】
前記ノードから受信した前記信号は、前記セグメントを通して送信電力を維持することをイネーブルするビット信号を含む請求項１３記載の方法。
【請求項１５】
前記信号は、セル特有である請求項１３記載の方法。
【請求項１６】
前記信号は、準静的である請求項１３記載の方法。
【請求項１７】
前記バンドルのサイズに少なくとも部分的に基づいて、前記セグメントの間に送信電力を維持するか否かを決定することをさらに含む請求項１記載の方法。
【請求項１８】
前記バンドルのサイズが、しきい値よりも大きい場合、送信電力を維持するように決定することをさらに含む請求項１７記載の方法。
【請求項１９】
時分割デュプレックス（ＴＤＤ）ダウンリンク／アップリンクサブフレームコンフィギュレーションに基づいて、送信電力を維持するか否かを決定することをさらに含む請求項１７記載の方法。
【請求項２０】
ユーザ機器（ＵＥ）によるワイヤレス通信のための方法において、
データをノードに送信するための複数のアップリンク（ＵＬ）サブフレームを含む送信時間間隔（ＴＴＩ）バンドルを識別することと、
前記ＴＴＩバンドルの期間の間、ダウンリンクサブフレームを監視することをスキップすることとを含む方法。
【請求項２１】
前記ダウンリンクサブフレームを監視することをスキップすることは、すべてのダウンリンクの信号およびチャネルの受信を無視することを含む請求項２０記載の方法。
【請求項２２】
前記ダウンリンクサブフレームを監視することをスキップすることは、少なくともいくつかのダウンリンクの信号およびチャネルの受信を無視することを含む請求項２０記載の方法。
【請求項２３】
前記ＴＴＩバンドル中の１つ以上のアップリンクサブフレームを前記ノードに送信することと、
前記ＴＴＩバンドルの期間が完了した後、ダウンリンク監視を実行することとをさらに含む請求項２０記載の方法。
【請求項２４】
前記ＴＴＩバンドル中の、１つ以上のダウンリンクサブフレームと１つ以上の特別なサブフレームとを、仮想アップリンクサブフレームとして取り扱うことをさらに含む請求項２０記載の方法。
【請求項２５】
前記ＴＴＩバンドル中の他のアップリンクサブフレームの電力に類似する電力で、前記仮想アップリンクサブフレームを送信することをさらに含む請求項２４記載の方法。
【請求項２６】
前記仮想アップリンクサブフレーム中でアップリンク情報を送信することをさらに含む請求項２４記載の方法。
【請求項２７】
前記仮想アップリンクサブフレーム中で前記アップリンク情報を送信することは、
同一のサブフレーム中のダウンリンクトラフィックと、前記アップリンク情報を周波数多重化することを含む請求項２６記載の方法。
【請求項２８】
時分割デュプレックス中の同一のサブフレーム中の、アップリンクとダウンリンクのトラフィック間のガード帯域をイネーブルして、相互干渉を緩和させることをさらに含む請求項２７記載の方法。
【請求項２９】
ユーザ機器（ＵＥ）によるワイヤレス通信のための装置において、
データをノードに送信するための複数のアップリンク（ＵＬ）サブフレームを含む送信時間間隔（ＴＴＩ）バンドルを識別するようにと、
前記ＴＴＩバンドル中のＵＬサブフレームのセグメントを識別するようにと、
前記ＴＴＩバンドル中のＵＬサブフレームのセグメントを通してデータを前記ノードに送信するときに、送信電力を維持するように構成されている少なくとも１つのプロセッサと、
前記少なくとも１つのプロセッサに結合されているメモリとを具備する装置。
【請求項３０】
ユーザ機器（ＵＥ）によるワイヤレス通信のための装置において、
データをノードに送信するための複数のアップリンク（ＵＬ）サブフレームを含む送信時間間隔（ＴＴＩ）バンドルを識別するようにと、
前記ＴＴＩバンドルの期間の間、ダウンリンクサブフレームを監視することをスキップするように構成されている少なくとも１つのプロセッサと、
前記少なくとも１つのプロセッサに結合されているメモリとを具備する装置。
【発明の詳細な説明】
【優先権の主張】
【０００１】
［０００１］
本特許出願は、「改善された位相連続性のための、ＴＴＩ（送信時間間隔）バンドリングにおけるリソース管理のための方法およびシステム」と題する、２０１３年１月１７日に出願され、その譲受人に譲渡され、参照によってここに明示的に組み込まれている米国仮出願番号第６１／７５３、８６０号に対する優先権を主張する。
【分野】
【０００２】
［０００２］
本開示のある実施形態は、一般的に、ワイヤレス通信に関連し、さらに特に、改善された位相連続性のための、送信時間間隔（ＴＴＩ）バンドリングにおけるリソース管理に関連する。
【背景】
【０００３】
［０００３］
音声やデータ等のような、さまざまなタイプの通信コンテンツを提供するために、ワイヤレス通信システムが広く配備されている。これらのシステムは、利用可能なシステムリソース（例えば、帯域幅と送信電力）を共有することによって、複数のユーザとの通信をサポートすることができる多元接続システムであるかもしれない。このような、多元接続システムの例は、コード分割多元接続（ＣＤＭＡ）システムと、時分割多元接続（ＴＤＭＡ）システムと、周波数分割多元接続（ＦＤＭＡ）システムと、３ＧＰＰ（登録商標）ロングタームエボリューション（ＬＴＥ（登録商標））システムと、直交周波数分割多元接続（ＯＦＤＭＡ）システムとを含んでいる。
【０００４】
［０００４］
一般的に、ワイヤレス多元接続通信システムは、複数のワイヤレス端末のための通信を同時にサポートできる。各端末は、フォワードリンクとリバースリンク上の通信を介して、１つ以上の基地局と通信する。フォワードリンク（または、ダウンリンク）は、基地局から端末への通信リンクを指し、リバースリンク（または、アップリンク）は、端末から基地局への通信リンクを指す。この通信リンクは、単一入力単一出力、複数入力単一出力、または、複数入力複数出力（ＭＩＭＯ）システムを介して確立してもよい。
【０００５】
［０００５］
ＭＩＭＯシステムは、データ送信のために、複数の（ＮＴ）送信アンテナと複数の（ＮＲ）受信アンテナを用いる。ＮＴ本の送信アンテナとＮＲ本の受信アンテナによって形成されるＭＩＭＯチャネルが、空間チャネルとしても言及されるＮｓ個の独立チャネルに分解されてもよく、ここで、ＮＳ≦ｍｉｎ｛ＮＴ，ＮＲ｝である。ＮＳ個の独立チャネルのそれぞれは、次元に対応する。複数の送信アンテナと受信アンテナによって生成される付加的な次元を利用する場合、ＭＩＭＯシステムは、改善された性能（例えば、より高いスループットおよび／またはより高い信頼性）を提供できる。
【０００６】
［０００６］
ＭＩＭＯシステムは、時分割デュプレクス（ＴＤＤ）および／または周波数分割デュプレクス（ＦＤＤ）システムをサポートしてもよい。ＴＤＤシステムでは、フォワードリンク送信とリバースリンク送信は、同一の周波数領域上にあるので、相互関係原理は、リバースリンクチャネルからのフォワードリンクチャネルの推定を可能にする。これは、複数のアンテナが基地局で利用可能であるとき、基地局がフォワードリンク上の送信ビーム形成利得を抽出できるようにする。ＦＤＤシステムでは、フォワードリンク送信とリバースリンク送信は、異なる周波数領域上にある。
【０００７】
［０００７］
数ある中で、従来のＬＴＥ設計のメインの焦点は、スペクトル効率や、ユービキタスカバレッジや、向上したＱｏＳ（サービスの品質）サポートや、これに類するものの改善である。これは、結果として、典型的に、最新式のスマートフォンやタブレット等のようなハイエンドデバイスになる。しかしながら、低コストの低レートのデバイスも同様にサポートを必要とする。いくつかの市場予測は、低コストデバイスの数が今日のセル電話機の数を大きく超えるかもしれないことを示している。
【０００８】
［０００８］
ＬＴＥに基づいている低コストＭＴＣ（マシーンタイプの通信）ＵＥ（ユーザ機器）の提供に対する研究項目が、ＬＴＥ  Ｒｅｌ−１１においてなされていた。特に、研究中の項目は、最大の帯域幅の低減と、単一の受信ＲＦ（無線周波数）チェーンと、ピークレートの低減と、送信電力の低減と、半二重動作とを含んでいた。
【０００９】
［０００９］
低コストデバイスに対して意図されたデータレートは、１００ｋｂｐｓより低いので、例えば、コストを低減させるために、これらのデバイスを狭帯域幅でのみ動作させることが可能である。低コストデバイスの配備に対して、２つの動作シナリオが考えられる。１つの単純明快な配備シナリオは、ＭＴＣ動作をサポートするために、何らかの狭帯域、例えば、１．２５ＭＨｚを取っておくことである。このシナリオでは、このような動作に対して、標準規格の変更は必要でない、または、ほとんど必要でないかもしれない。別の、より興味深い配備シナリオは、広い帯域幅において、低コストＵＥを動作させることである。このケースでは、低コストＵＥは、標準のＵＥとともに共存してもよい。広い帯域幅における低コストＵＥの動作のために、２つのさらなる可能性あるシナリオが考えられる。１つのシナリオでは、低コストＵＥは、利用可能な帯域幅全体（例えば、２０ＭＨｚまで）に渡って動作してもよい。このシナリオは、標準規格への何らかの影響を有しないかもしれないが、コストとバッテリー電力消費とを低減させるのに有用でないかもしれない。別のシナリオでは、低コストＵＥは、帯域幅のうちの狭い部分に渡って動作してもよい。
【概要】
【００１０】
［００１０］
本開示のある態様は、ユーザ機器（ＵＥ）によるワイヤレス通信のための方法を提供する。方法は、一般的に、データをノードに送信するための複数のアップリンク（ＵＬ）サブフレームを含む送信時間間隔（ＴＴＩ）バンドルを識別することと、ＴＴＩバンドル中のＵＬサブフレームのセグメントを識別することと、ＴＴＩバンドル中のＵＬサブフレームのセグメントを通してデータをノードに送信するときに、送信電力を維持することとを含む。
【００１１】
［００１１］
本開示のある態様は、ＵＥによるワイヤレス通信のための方法を提供する。方法は、一般的に、データをノードに送信するための複数のアップリンク（ＵＬ）サブフレームを含む送信時間間隔（ＴＴＩ）バンドルを識別することと、ＴＴＩバンドルの期間の間、ダウンリンクサブフレームを監視することをスキップすることを含む。
【００１２】
［００１２］
本開示のある態様は、ＵＥによるワイヤレス通信のための装置を提供する。装置は、一般的に、少なくとも１つのプロセッサと、少なくとも１つのプロセッサに結合されているメモリとを含む。少なくとも１つのプロセッサは、一般的に、データをノードに送信するための複数のアップリンク（ＵＬ）サブフレームを含む送信時間間隔（ＴＴＩ）バンドルを識別するようにと、ＴＴＩバンドル中のＵＬサブフレームのセグメントを識別するようにと、ＴＴＩバンドル中のＵＬサブフレームのセグメントを通してデータをノードに送信するときに、送信電力を維持するように構成されている。
【００１３】
［００１３］
本開示のある態様は、ＵＥによるワイヤレス通信のための装置を提供する。装置は、一般的に、少なくとも１つのプロセッサと、少なくとも１つのプロセッサに結合されているメモリとを含む。少なくとも１つのプロセッサは、一般的に、データをノードに送信するための複数のアップリンク（ＵＬ）サブフレームを含む送信時間間隔（ＴＴＩ）バンドルを識別するようにと、ＴＴＩバンドルの期間の間、ダウンリンクサブフレームを監視することをスキップするように構成されている。
【図面の簡単な説明】
【００１４】
［００１４］
本開示の上記に記載した特徴を詳細に理解できるように、上記に簡単に要約したもののより詳細な説明は、態様を参照することにより与えられ、そのいくつかは、添付された図面において図示されている。しかしながら、添付された図面は、この開示のある典型的な態様のみを図示しており、したがって、その範囲を限定していると考えるべきではなく、説明は他の等しく効果的な態様を許容することに留意されたい。  
【図１】［００１５］  図１は、本開示のある実施形態にしたがった、多元接続ワイヤレス通信システムを図示している。
【図２】［００１６］  図２は、本開示のある実施形態にしたがった、通信システムのブロックダイヤグラムを図示している。
【図３】［００１７］  図３は、本開示のある態様にしたがった、ＴＴＩバンドル中の位相連続性を達成するために、ユーザ機器によって実行されるかもしれない例示的な動作を図示している。
【図４】［００１８］  図４は、本開示のある態様にしたがった、ＴＴＩバンドル中の位相連続性を達成するために、ユーザ機器によって実行されるかもしれない例示的な動作を図示している。
【図５】［００１９］  図５は、本開示のある態様にしたがった、ＴＴＩバンドリングでＵＬ位相連続性を達成するための例示的な技術を図示している。
【図６】［００２０］  図６は、本開示のある態様にしたがった、ダウンリンクサブフレームと特別なサブフレームとが仮想アップリンクサブフレームとして扱われる、例示的なＴＴＩバンドルを図示している。
【図７】［００２１］  図７は、本開示のある態様にしたがった、周波数多重化された、アップリンクトラフィックおよびダウンリンクトラフィックを含んでいる、例示的なアップリンクサブフレームおよびダウンリンクサブフレームを図示している。
【詳細な説明】
【００１５】
［００２２］
さまざまな態様を、図面を参照してこれから説明する。以下の記述において、説明の目的で、１つ以上の態様の完全な理解を提供するために、多数の特有な詳細を明らかにする。しかしながら、このような態様が、これらの特有な詳細なしで実施されてもよいことは明白であるかもしれない。
【００１６】
［００２３］
本願において使用するとき、用語「コンポーネント」、「モジュール」、「システム」、および、これらに類するものは、ハードウェアや、ソフトウェア／ファームウェアや、ハードウェアとソフトウェア／ファームウェアの組み合わせや、または、実行中のソフトウェア／ファームウェアのような、しかしながらこれに限定されないコンピュータ関連エンティティを含むように意図されている。例えば、コンポーネントは、これらに限定されないが、プロセッサ上で実行するプロセスや、プロセッサや、オブジェクトや、実行ファイルや、実行のスレッドや、プログラムや、および／または、コンピュータであってもよい。実例として、コンピューティングデバイス上で実行しているアプリケーションと、コンピューティングデバイスとの両方が、コンポーネントになることができる。１つ以上のコンポーネントは、プロセスおよび／または実行のスレッド内に存在することができ、コンポーネントは、コンピュータ上に局所化されていてもよく、および／または、２つ以上のコンピュータ間に分散されていてもよい。さらに、その上に記憶されているさまざまなデータ構造を有するさまざまなコンピュータ読取可能媒体から、これらのコンポーネントを実行できる。コンポーネントは１つ以上のデータパケットを有する信号にしたがうようなローカルプロセスおよび／または遠隔プロセスにより通信してもよく、データパケットは、この信号によって、ローカルシステム中、分散システム中の別のコンポーネントと対話する、および／または、インターネットのようなネットワークに渡って他のシステムと対話する、１つのコンポーネントからのデータのようなものである。
【００１７】
［００２４］
さらに、ワイヤード端末またはワイヤレス端末とすることができる端末に関して、さまざまな態様をここで記述する。端末は、システムや、デバイスや、加入者ユニットや、加入者局や、移動局や、移動体や、移動体デバイスや、遠隔局や、遠隔端末や、アクセス端末や、ユーザ端末や、通信デバイスや、ユーザエージェントや、ユーザデバイスや、ユーザ機器（ＵＥ）とも呼ぶことができる。ワイヤレス端末は、セル電話機や、衛星電話機や、コードレス電話機や、セッションイニシエーションプロトコル（ＳＩＰ）電話機や、スマートフォンや、タブレットや、ウルトラブック（登録商標）や、ネットブックや、スマートブック（登録商標）や、ワイヤレスローカルループ（ＷＬＬ）局や、パーソナルデジタルアシスタント（ＰＤＡ）（登録商標）や、ワイヤレス接続能力を有するハンドヘルドデバイスや、コンピューティングデバイスや、または、ワイヤレスモデムに接続されている他の処理デバイスであってもよい。さらに、基地局に関して、さまざまな態様をここに記述する。基地局はワイヤレス端末と通信するのに利用してもよく、アクセスポイントやノードＢや他の何らかの専門用語として言及されるかもしれない。
【００１８】
［００２５］
さらに、用語「または」は、排他的な「または」よりもむしろ、包括的な「または」を意味するように意図されている。すなわち、特に特定していない限り、または、文脈から明白でない限り、「ＸはＡまたはＢを用いる」というフレーズは、生来の包括的な順列のうちのいずれかを意味するように意図されている。すなわち、「ＸはＡまたはＢを用いる」というフレーズは、以下の例のいずれかによって満たされる。ＸはＡを用いる、ＸはＢを用いる、または、ＸはＡとＢの両方を用いる。さらに、本願および添付された特許請求の範囲において使用する冠詞「ａ」および「ａｎ」は、単数形に向けられていると特に特定していない限り、または、文脈から明白でない限り、一般的に「１つ以上」を意味するように解釈すべきである。
【００１９】
［００２６］
ここに記述した技術を、コード分割多元接続（ＣＤＭＡ）ネットワークや、時分割多元接続（ＴＤＭＡ）ネットワークや、周波数分割多元接続（ＦＤＭＡ）ネットワークや、直交ＦＤＭＡ（ＯＦＤＭＡ）ネットワークや、単一搬送波ＦＤＭＡ（ＳＣ−ＦＤＭＡ）ネットワーク等のような、さまざまなワイヤレス通信ネットワークに対して使用してもよい。用語「ネットワーク」と「システム」は、交換可能に使用することが多い。ＣＤＭＡネットワークは、ユニバーサル地上無線アクセス（ＵＴＲＡ）やＣＤＭＡ２０００等のような無線技術を実現してもよい。ＵＴＲＡは、広帯域ＣＤＭＡ（Ｗ−ＣＤＭＡ（登録商標））を含んでいる。ＣＤＭＡ２０００は、ＩＳ−２０００とＩＳ−９５とＩＳ−８５６の標準規格をカバーしている。ＴＤＭＡネットワークは、グローバル移動体通信システム（ＧＳＭ（登録商標））のような無線技術を実現してもよい。
【００２０】
［００２７］
ＯＦＤＭＡネットワークは、進化型ＵＴＲＡ（Ｅ−ＵＴＲＡ）や、電気電子技術者学会（ＩＥＥＥ）８０２．１１や、ＩＥＥＥ８０２．１６や、ＩＥＥＥ８０２．２０や、フラッシュＯＦＤＭ等のような無線技術を実現してもよい。ＵＴＲＡと、Ｅ−ＵＴＲＡと、ＧＳＭは、ユニバーサル・モバイル・テレコミュニケーション・システム（ＵＭＴＳ）の一部分である。ロングタームエボリューション（ＬＴＥ）は、Ｅ−ＵＴＲＡを使用するＵＭＴＳの新たなリリースである。ＵＴＲＡと、Ｅ−ＵＴＲＡと、ＧＳＭと、ＵＭＴＳと、ＬＴＥは、「第３世代パートナシップ計画」（３ＧＰＰ）と名付けられた組織からの文書中に記述されている。ＣＤＭＡ２０００は、「第３世代パートナシップ計画２」（３ＧＰＰ２）と名付けられた組織からの文書中に記述されている。これらのさまざまな無線技術および標準規格は、技術的に知られている。明確さのために、ＬＴＥ／ＬＴＥ  アドバンスド（ＬＴＥ−Ａ）に対して、技術のある態様を以下に記述する。簡潔さのために、「ＬＴＥ」は、ＬＴＥおよびＬＴＥ−Ａを指すことができる。ＬＴＥ専門用語は、実例として使用され、開示の範囲はＬＴＥに限定されるものではないことに留意すべきである。むしろ、パーソナルエリアネットワーク（ＰＡＮ）、ボディエリアネットワーク（ＢＡＮ）、ロケーション、Ｂｌｕｅｔｏｏｔｈ（登録商標）、ＧＰＳ、ＵＷＢ（ウルトラ広帯域）、ＲＦＩＤ、および、これらに類するもののような、ワイヤレス送信を伴うさまざまなアプリケーションにおいて、ここに記述する技術を利用してもよい。さらに、ケーブルモデム、ファイバベースのシステム、および、これらに類するもののような、ワイヤードシステムにおいて技術を利用してもよい。
【００２１】
［００２８］
単一搬送波変調および周波数ドメイン等化を利用する単一搬送波周波数分割多元接続（ＳＣ−ＦＤＭＡ）は、ＯＦＤＭＡシステムのものと類似した性能と、本質的に同一の全体的な複雑性とを有する。その本来の単一搬送波構造から、ＳＣ−ＦＤＭＡ信号は、より低いピーク対平均電力比（ＰＡＰＲ）を有するかもしれない。アップリンク通信においてＳＣ−ＦＤＭＡを使用してもよく、より低いＰＡＰＲは、送信電力効率に関して、移動体端末に大きな利益をもたらす。ＳＣ−ＦＤＭＡは、現在、３ＧＰＰロングタームエボリューション（ＬＴＥ）中の、または、進化型ＵＴＲＡ中のアップリンク多元接続スキームに対する作業仮定である。
【００２２】
［００２９］
図１を参照すると、１つの態様にしたがった多元接続ワイヤレス通信システムが図示されている。アクセスポイント１００（ＡＰ）は、複数のアンテナグループを含んでいてもよく、１つのグループはアンテナ１０４およびアンテナ１０６を含んでおり、別のグループはアンテナ１０８およびアンテナ１１０を含んでおり、付加的なグループはアンテナ１１２およびアンテナ１１４を含んでいる。図１では、各アンテナグループに対して２つのアンテナのみが示されているが、しかしながら、各アンテナグループに対して、より多くのアンテナを、または、より少ないアンテナを利用してもよい。アクセス端末１１６（ＡＴ）は、アンテナ１１２およびアンテナ１１４と通信中であってもよく、アンテナ１１２およびアンテナ１１４は、フォワードリンク１２０を通してアクセス端末１１６に情報を送信し、リバースリンク１１８を通してアクセス端末１１６から情報を受信する。アクセス端末１２２は、アンテナ１０６およびアンテナ１０４と通信中であってもよく、アンテナ１０６およびアンテナ１０４は、フォワードリンク１２６を通してアクセス端末１２２に情報を送信し、リバースリンク１２４を通してアクセス端末１２２から情報を受信する。ＦＤＤシステムでは、通信リンク１１８、１２０、１２４および１２６は、通信に対して異なる周波数を使用してもよい。例えば、フォワードリンク１２０は、リバースリンク１１８によって使用されるのと異なる周波数を使用してもよい。
【００２３】
［００３０］
アンテナの各グループを、および／または、アンテナが通信するように設計されているエリアを、アクセスポイントのセクタとして言及することが多い。本開示の１つの態様では、アクセスポイント１００によってカバーされているエリアのセクタにおいて、各アンテナグループがアクセス端末に通信するように設計されていてもよい。
【００２４】
［００３１］
アクセス端末１３０は、アクセスポイント１００と通信中であってもよく、アクセスポイント１００からのアンテナは、フォワードリンク１３２を通してアクセス端末１３０に情報を送信し、リバースリンク１３４を通してアクセス端末１３０から情報を受信する。しかしながら、システム情報ブロック（ＳＩＢ）２パラメータゼロ相関範囲コンフィギュレーションが最初に構成されているとき、オペレータによって予期される（１３６によって示される）距離を超えて、アクセス端末１３０をアクセスポイント１００上でキャンピングしてもよい。このようなアクセス端末は、本方法および装置から利益を得てもよい。
【００２５】
［００３２］
フォワードリンク１２０および１２６を通した通信では、異なるアクセス端末１１６および１２２に対して、フォワードリンクの信号対雑音比を改善するために、アクセスポイント１００の送信アンテナは、ビーム形成を利用してもよい。また、そのカバレッジに渡ってランダムに散在しているアクセス端末に送信するのにビーム形成を使用するアクセスポイントは、そのアクセス端末のすべてに対して単一のアンテナを通して送信するアクセスポイントよりも少ない干渉を、隣接するセル中のアクセス端末に対して生じさせる。
【００２６】
［００３３］
図２は、複数入力複数出力（ＭＩＭＯ）システム２００中の、（アクセスポイントとしても知られている）送信機システム２１０と、（アクセス端末としても知られている）受信機システム２５０との態様のブロックダイヤグラムを図示している。送信機システム２１０において、多数のデータストリームに対するトラフィックデータが、データ源２１２から、送信（ＴＸ）データプロセッサ２１４に提供される。
【００２７】
［００３４］
本開示の１つの態様において、各データストリームは、それぞれの送信アンテナを通して送信される。ＴＸデータプロセッサ２１４は、コード化されたデータを提供するためにそのデータストリーム用に選択された特定のコーディングスキームに基づいて、各データストリームに対するトラフィックデータをフォーマットし、コード化し、インターリーブする。
【００２８】
［００３５］
各データストリームに対するコード化データは、ＯＦＤＭ技術を使用して、パイロットデータと多重化してもよい。パイロットデータは、典型的に、既知の方法で処理される、既知のデータパターンであり、チャネル応答を推定するために受信機システムにおいて使用される。各データストリームに対する、多重化された、パイロットデータおよびコード化データは、その後、変調シンボルを提供するためにそのデータストリーム用に選択された特定の変調スキーム（例えば、ＢＰＳＫ、ＱＰＳＫ、Ｍ−ＰＳＫ、またはＭ−ＱＡＭ）に基づいて、変調（すなわち、シンボルマッピング）される。プロセッサ２３０によって実行される命令によって、各データストリームに対する、データレート、コーディング、変調を決定してもよい。メモリ２３２は、送信機システム２１０のための、データとソフトウェア／ファームウェアを記憶していてもよい。
【００２９】
［００３６］
すべてのデータストリームに対する変調シンボルは、その後、ＴＸ  ＭＩＭＯプロセッサ２２０に提供され、ＴＸ  ＭＩＭＯプロセッサ２２０は、（例えば、ＯＦＤＭのために）変調シンボルをさらに処理する。ＴＸ  ＭＩＭＯプロセッサ２２０は、その後、ＮＴ個の変調シンボルストリームをＮＴ個の送信機（ＴＭＴＲ）２２２ａないし２２２ｔに提供する。本開示のある態様において、ＴＸ  ＭＩＭＯプロセッサ２２０は、データストリームのシンボルと、シンボルが送信されるアンテナとに、ビーム形成重みを適用する。
【００３０】
［００３７］
各送信機２２２は、それぞれのシンボルストリームを受け取って処理し、１つ以上のアナログ信号を提供し、さらにアナログ信号を調整して（例えば、増幅し、フィルタリングし、そしてアップコンバートして）、ＭＩＭＯチャネルを通しての送信に対して適切な変調信号を提供する。送信機２２２ａないし２２２ｔからのＮＴ個の変調信号は、その後、ＮＴ本のアンテナ２２４ａないし２２４ｔからそれぞれ送信される。
【００３１】
［００３８］
受信機システム２５０において、送信された変調信号は、ＮＲ本のアンテナ２５２ａないし２５２ｒによって受信されてもよく、各アンテナ２５２からの受信信号は、それぞれの受信機（ＲＣＶＲ）２５４ａないし２５４ｒに提供されてもよい。各受信機２５４は、それぞれの受信信号を調整し（例えば、フィルタリングし、増幅し、そしてダウンコンバートし）、調整された信号をデジタル化してサンプルを提供し、さらにサンプルを処理して、対応する「受信」シンボルストリームを提供してもよい。
【００３２】
［００３９］
ＲＸデータプロセッサ２６０は、その後、特定の受信機処理技術に基づいて、ＮＲ個の受信機２５４からＮＲ個の受信シンボルストリームを受け取って処理し、ＮＴ個の「検出」シンボルストリームを提供する。ＲＸデータプロセッサ２６０は、その後、各検出シンボルストリームを復調し、デインターリーブし、デコードして、データストリームに対するトラフィックデータを復元する。ＲＸデータプロセッサ２６０による処理は、送信機システム２１０における、ＴＸ  ＭＩＭＯプロセッサ２２０とＴＸデータプロセッサ２１４とによって実行されるものに対して相補的であってもよい。
【００３３】
［００４０］
プロセッサ２７０は、どのプリコーディングマトリックスを使用するかを周期的に決定する。プロセッサ２７０は、マトリックスインデックス部分とランク値部分とを含むリバースリンクメッセージを構築する。メモリ２７２は、受信機システム２５０のためのデータおよびソフトウェア／ファームウェアを記憶していてもよい。リバースリンクメッセージは、通信リンクおよび／または受信データストリームに関する、さまざまなタイプの情報を含んでいてもよい。リバースリンクメッセージは、その後、データ源２３６から多数のデータストリームに対するトラフィックデータも受け取るＴＸデータプロセッサ２３８によって処理され、変調器２８０によって変調され、送信機２５４ａないし２５４ｒによって調整され、送信機システム２１０に返信される。
【００３４】
［００４１］
送信機システム２１０において、受信機システム２５０からの変調信号は、アンテナ２２４によって受信され、受信機２２２によって調整され、復調器２４０によって復調され、ＲＸデータプロセッサ２４２によって処理されて、受信機システム２５０によって送信されたリバースリンクメッセージが抽出される。プロセッサ２３０は、その後、ビーム形成重みを決定するために、どのプリコーディングマトリックスを使用するかを決定し、その後、抽出されたメッセージを処理する。
【００３５】
ＴＴＩ（送信時間間隔）バンドリングにおけるリソース管理のための例示的な方法およびシステム
［００４２］
本開示のある態様は、アップリンク送信時間間隔（ＴＴＩ）バンドル中の位相連続性を改善する方法を提案する。第１の方法は、ＴＴＩバンドル中のＵＬサブフレームのセグメントを識別することと、ＴＴＩバンドル中のＵＬサブフレームのセグメントを通して基地局にデータを送信するときに、送信電力／タイミング／周波数を維持することとを含んでいてもよい。別の方法は、ＴＴＩバンドルの期間の間、ダウンリンクサブフレームの受信を無視することを含んでいてもよい。提案した方法は、ユーザ機器によって別々に使用してもよく、または、組み合わせてもよい。
【００３６】
［００４３］
ＬＴＥ  Ｒｅｌ−８／９／１０において、送信時間間隔（ＴＴＩ）バンドリング（またはサブフレームバンドリング）は、ＵＥ毎のベースで構成されていてもよい。より高いレイヤによって提供される、パラメータｔｔｉバンドリングによって、サブフレームバンドリング動作は構成されていてもよい。ＴＴＩバンドリングがＵＥに対して構成されている場合、サブフレームバンドリング動作は、アップリンク共有チャネル（ＵＬ−ＳＣＨ）に対してのみ適用されてもよく、アップリンク制御情報のような他のＵＬ信号／トラフィックに対して適用されなくてもよい。ある態様では、バンドリングサイズは、４つのサブフレームにおいて固定されており、すなわち、ＰＵＳＣＨは、４つの連続するサブフレーム中で送信されるだろう。態様において、同一のハイブリッド自動反復要求（ＡＲＱ）プロセス番号を、バンドルされたサブフレームのそれぞれにおいて使用してもよい。ある態様では、リソース割り振りサイズは、３つのリソースブロック（ＲＢ）までに制限され、変調オーダーは２（例えば、ＱＰＳＫ）にセットされる。態様において、バンドルを単一のリソースとして取り扱ってもよく、したがって、単一の許可と、単一のハイブリットＡＲＱ肯定応答とを、各バンドルに対して使用してもよい。
【００３７】
［００４４］
ある態様では、ＬＴＥ  Ｒｅｌ−８におけるＴＴＩバンドリングに対するモチベーションは、低レートトラフィックである。態様において、アップリンクに対する低いリンクバジェットが原因で、インターネットプロトコルを通した音声（ＶｏＩＰ）パケットを、単一のＴＴＩにおいて送信できない場合、レイヤ２（Ｌ２）セグメント化を適用してもよい。例えば、４つの連続するＴＴＩにおいて送信される４つの無線リンク制御（ＲＬＣ）プロトコルデータユニット（ＰＤＵ）において、ＶｏＩＰパケットをセグメント化できる。さらに、十分なカバレッジを達成するために、２つまたは３つのＨＡＲＱ再送信をターゲットにしてもよい。しかしながら、このアプローチは、いくつかの欠点を有しているかもしれない。各付加的なセグメントは、１バイトのＲＬＣ（無線リンク制御）と、１バイトのＭＡＣ（媒体アクセス制御）と、３バイトのＬ１  ＣＲＣ（巡回冗長検査）とのオーバーヘッドを導入するかもしれず、３３バイトのＲＬＣ  ＳＤＵ（サービスデータユニット）サイズを仮定すると、これは、１５％までのオーバーヘッドになるかもしれない。これは、４つのセグメントに対して、４５％の付加的なＬ１／Ｌ２オーバーヘッドがあるかもしれないことを意味している。
【００３８】
［００４５］
さらに、セグメント毎に対するＨＡＲＱ送信／再送信は、かなりの物理ダウンリンク制御チャネル（ＰＤＣＣＨ）リソースを消費する、ＰＤＣＣＨ上の許可を必要とするかもしれない。さらに、各ＨＡＲＱ送信または再送信には、物理ハイブリットＡＲＱインジケータチャネル（ＰＨＩＣＨ）上のＨＡＲＱフィードバックが続くかもしれない。１０−３のＮＡＣＫ−ＡＣＫエラー比を仮定すると、非常に多数のＨＡＲＱフィードバック信号は、高いパケット損失可能性につながるかもしれない。例えば、１２のＨＡＲＱフィードバック信号を送る場合、ＨＡＲＱフィードバックエラー比は、１．２＊１０−２のオーダーになるかもしれない。ある態様において、１０−２よりも大きなパケット損失レートは、ＶｏＩＰトラフィックにとって許容可能でない。
【００３９】
［００４６］
よって、ＴＴＩバンドリングの目的のために、ＴＴＩバンドル毎に、単一のアップリンク許可および単一のＰＨＩＣＨ信号のみを使用することは、有益となるだろう。Ｌ２セグメント化が必要とされないことから、Ｌ１およびＬ２のオーバーヘッドも最小化されるかもしれない。
【００４０】
［００４７］
ある態様では、例えば、低データレートと、中間データレートと、ＶＯＩＰとに対するものを含んでいる、ＵＬカバレッジ向上のために、ＴＴＩバンドリングを使用してもよい。態様において、大きなＴＴＩバンドリングサイズ（例えば、１００サブフレームのオーダー）は、ＵＬカバレッジ向上を取り扱うための、１つの可能性ある解決法であるかもしれない。態様において、同様に、大きなＴＴＩバンドリングサイズを、ＤＬカバレッジ向上に対して考慮してもよい。
【００４１】
［００４８］
ある態様では、ＴＴＩバンドリングを介して所望のカバレッジ向上を達成するために、低い信号対ノイズ比ＳＮＲ（例えば、−１０ｄＢの、または、より低い）のもとでの、信頼性のあるチャネル推定が必要であるかもしれない。例えば、複数のサブフレームを通してチャネル推定フィルタリングを実行することによって、複数のサブフレームを使用するチャネル推定を介して、チャネル推定における向上が達成されるかもしれない。
【００４２】
［００４９］
ある態様では、これらのカバレッジ向上は低いモビリティＵＥに対して考慮するので、複数のサブフレームを通して、類似するまたは実質的に類似するチャネル条件を仮定する、マルチサブフレームチャネル推定が必要であるかもしれない。しかしながら、マルチサブフレームチャネル推定は、複数のサブフレームを通して、良い位相連続性を要求するかもしれない。そうでなければ、実際のチャネルを任意の位相不連続性と組み合わせた後の、有効なチャネルは、複数のサブフレームを通して実質的に同一でないかもしれない。態様では、位相連続性は、ＴＴＩバンドリングにおけるサブフレームの数が多いとき、さらに目立つかもしれない。
【００４３】
［００５０］
ある態様では、異なるサブフレームを通して、電力／タイミング／周波数の変動がある場合、位相連続性を維持することは難しいかもしれない。例えば、半二重ＵＥにおいて、２つのＵＬ送信間において少なくとも１つのＤＬ受信がある場合、（半二重ＵＥは、一般的に、ＵＬ干渉のないＤＬを受信するために、ＵＬ送信をシャットダウンしなければならないので）、２つのＵＬ送信に対する位相連続性を維持することは、非常に難しいかもしれない。
【００４４】
［００５１］
ある態様は、ＴＴＩバンドリングのための位相連続性を促進するための解決法を提案する。第１の提案は、周波数分割デュプレクス（ＦＤＤ）システムと、時分割デュプレクス（ＴＤＤ）システムの両方に対して、できるだけ同一のＴＴＩバンドルのＵＬサブフレームのサブセット（「セグメント」として示される）を通して、同一の、送信電力、タイミングおよび／または周波数を維持することを含んでいてもよい。バンドルは、１つ以上のセグメントを含んでいてもよい。
【００４５】
［００５２］
ある態様では、セグメントは、ｅＮＢによって仮定されるコヒーレントなチャネル推定間隔として定義されてもよく、セグメントのサイズおよび／または境界を、ＵＥに対して明示的にシグナリングしてもよく、あるいは、ＵＥによって準静的にまたは動的に、暗黙的に決定してもよい。態様では、デフォルト（例えば、シグナリングなし）によって、セグメントは、同一のバンドル中のＵＬサブフレームのセット全体（バンドル中に１つのセグメント）になると、または、その他の何らかの部分になると仮定してもよい。
【００４６】
［００５３］
ある態様では、ＵＬ送信に対して、同一のＵＬ送信電力を維持するために、バンドルされた送信の各セグメントの間、ＵＥは、（例えば、ＤＬサブフレーム中で受信する）アップリンク電力制御コマンドを監視することをスキップしてもよく、または、監視するが適用しなくてもよい。
【００４７】
［００５４］
代替的な態様では、ＵＥは依然としてＤＬサブフレームを監視してデコードし続けてもよい。例えば、１つの代替において、ＤＬ受信に対する時間および周波数の追跡を、依然としてオンにして規則的に更新してもよいが、ＵＬ送信に対する時間および周波数を、同一のＴＴＩバンドルの「セグメント」毎ベースで更新してもよい。ある態様において、セグメントに渡るＵＬ送信のタイミングおよび周波数の更新を、ｅＮＢによって発行されるタイミングアドバンス（ＴＡ）コマンドによってトリガしてもよい。例えば、ｅＮＢはＴＡコマンドを使用して、新たなセグメントの開始（例えば、セグメント間の動的な境界または動的なセグメントサイズ）をシグナリングしてもよい。ある態様において、ＵＬ送信がサイクリックプリフィックス（ＣＰ）の外でドリフトしている場合、ＵＥにドリフトを保ったままにさせておく代わりに、ＴＡコマンドを使用して、ＵＬ送信のタイミングを補正してもよい。セグメントサイズが準静的に構成されている場合、ＵＥがセグメントにおいてＴＡコマンドを受信したとき、ＵＥは、次のセグメントで、ＵＬ送信のタイミングおよび周波数を更新してもよい。ある態様において、例えば、特に、セグメントサイズ／境界を準静的に決定するとき、各セグメントの開始において、ＵＥによって自動的に更新を行ってもよい。
【００４８】
［００５５］
別の代替において、ＤＬとＵＬ両方に対する、時間および周波数の追跡を、各セグメント内でオフにしてもよい。この代替の１つの利点は、異なるＤＬ／ＵＬ時間／周波数を管理する必要がないことであり、これは、結果として、より単純なインプリメンテーションとなる。しかしながら、ＤＬ受信に対する正確でないタイミング／周波数追跡が原因で、何らかのＤＬ復調損失が起こるかもしれない。
【００４９】
［００５６］
図３は、本開示のある態様にしたがった、ＴＴＩバンドル中の位相連続性を達成するユーザ機器によって実行されるかもしれない、例示的な動作３００を図示している。３０２で、ＵＥは、データをノードに送信するための複数のＵＬサブフレームを含むＴＴＩバンドルを識別してもよい。３０４で、ＵＥは、ＴＴＩバンドル中のＵＬサブフレームのセグメントを識別してもよい。３０６で、ＵＥは、ＴＴＩバンドル中のＵＬサブフレームのセグメントを通してデータをノードに送信するときに、送信電力を維持してもよい。態様では、ノードは基地局を含んでいてもよい。代替的な態様では、ノードはＵＥを含んでいてもよい。
【００５０】
［００５７］
ある態様では、ＵＬサブフレームのセグメントは、仮定したコヒーレントな推定間隔に対応していてもよい。
【００５１】
［００５８］
ある態様では、ＵＬサブフレームのセグメントは、ＴＴＩバンドル中の複数のＵＬサブフレームに対応していてもよい。ある態様では、セグメントのサイズは準静的に構成されていてもよい。
【００５２】
［００５９］
ある態様では、アップリンク電力制御コマンドを監視することをスキップすることか、または、アップリンク電力制御コマンドを監視するが、適用することをスキップすることのうちの少なくとも１つによって、ＵＥは、ＵＬサブフレームのセグメントを通して送信電力を維持してもよい。
【００５３】
［００６０］
ある態様において、ＵＥは、ＴＴＩバンドル中のＵＬサブフレームのセグメントを通して、タイミングまたは周波数のうちの少なくとも１つを維持してもよい。態様では、ＵＥは、同一のＴＴＩバンドルのセグメント毎のベースで、ＵＬ送信および周波数を更新することによって、セグメントを通して、タイミングまたは周波数のうちの少なくとも１つを維持してもよい。態様では、セグメントに渡るＵＬタイミングおよび周波数の更新は、ノードによって発行されるタイミングアドバンス（ＴＡ）コマンドによってトリガされてもよい。態様では、ＴＡコマンドは、新たなセグメントの開始をシグナリングしてもよい。態様では、セグメントサイズは準静的に構成されていてもよく、ＵＥは、ＴＡコマンドを受信した後、次のセグメント中で、ＵＬタイミングおよび周波数を更新してもよい。
【００５４】
［００６１］
ある態様では、ＵＥは、各セグメント内のＤＬとＵＬの両方に対して、時間および周波数の追跡をディセーブルしてもよい。ある態様では、ＵＥはＴＴＩバンドルの期間の間、ダウンリンクサブフレームの受信を無視してもよい。
【００５５】
［００６２］
ある態様では、ＵＥは、ノードから受信した信号に少なくとも部分的に基づいて、セグメントを通して送信電力を維持するか否かを決定してもよい。態様において、ノードから受信した信号は、セグメントを通して送信電力を維持することをイネーブルする１つのビット信号を含んでいてもよい。態様において、信号はセル特有であってもよい。態様において、信号は準静的であってもよい。
【００５６】
［００６３］
ある態様では、ＵＥは、バンドルのサイズに少なくとも部分的に基づいて、セグメントの間に送信電力を維持するか否かを決定してもよい。態様では、バンドルのサイズがしきい値よりも大きい場合、ＵＥは、送信電力を維持するように決定してもよい。態様では、ＵＥは、時分割デュプレックス（ＴＤＤ）ダウンリンク／アップリンクサブフレームコンフィギュレーションに基づいて、送信電力を維持するか否かを決定してもよい。
【００５７】
［００６４］
ＴＴＩバンドリングに対するＵＬ位相連続性を促進する第２の提案では、ＦＤＤおよびＴＤＤのシステムの両方に対して、同一のＴＴＩバンドリングにおけるすべてのＵＬサブフレームを通して、期間全体の間、ＵＥは、ＤＬ送信を受信するように要求されなくてもよい。
【００５８】
［００６５］
このシナリオは、半二重ＵＥに対して、より有用であるかもしれない。例として、ＴＤＤ  ＤＬ／ＵＬサブフレームコンフィギュレーション♯１（Ｄはダウンリンクを意味し、Ｓは特殊を意味し、Ｕはアップリンクを意味するＤＳＵＵＤ）を考えてもよい。ＴＴＩバンドルサイズに対して、バンドルの期間全体の間（例えば、同一のバンドル中の、最初のＵＬサブフレームから最後のＵＬサブフレームまでのすべてを含む）、ＵＥはＤＬサブフレームを監視するように要求されなくてもよい。ある方法では、このスキームは、ＴＴＩバンドリングによって駆動される、拡張された「半二重」動作として見ることができる。いったん、ＵＥがＴＴＩバンドリングを使用するＵＬ送信中にあると、ＵＥは、バンドル全体の間、ＵＥ送信を実行するのみであってもよい。バンドルされたＵＬ送信が終了した後、必要な場合、ＵＥはＤＬ監視を実行してもよい。
【００５９】
［００６６］
図４は、本開示のある態様にしたがった、ＴＴＩバンドル中の位相連続性を達成するユーザ機器によって実行されるかもしれない、例示的な動作４００を図示している。４０２で、ＵＥは、データをノードに送信するための複数のアップリンク（ＵＬ）サブフレームを含むＴＴＩバンドルを識別してもよい。４０４で、ＵＥは、ＴＴＩバンドルの期間全体に対して、または期間の一部分（例えば、先に議論したセグメント）に対して、ダウンリンクサブフレームを監視することをスキップしてもよい。態様では、ノードは基地局を含んでいてもよい。代替的な態様では、ノードはＵＥを含んでいてもよい。
【００６０】
［００６７］
ある態様では、ＵＥは、ダウンリンクの信号およびチャネルのうちの、すべての受信を、または、少なくともいくつかの受信を無視することによって、ダウンリンクサブフレームを監視することをスキップしてもよい。
【００６１】
［００６８］
態様において、ＵＥは半二重であってもよい。態様において、ＵＥは、ＴＴＩバンドル中で１つ以上のアップリンクサブフレームをノードに送信してもよく、ＴＴＩバンドルの期間が終了した後、ダウンリンク監視を実行してもよい。態様において、ＵＥは、ＴＴＩバンドル中の、１つ以上のダウンリンクサブフレームと１つ以上の特殊サブフレームを、仮想アップリンクサブフレームとして取り扱ってもよい。態様において、ＴＴＩバンドル中の他のアップリンクサブフレームの電力に類似する電力により、仮想アップリンクサブフレームを送信してもよい。
【００６２】
［００６９］
ある態様では、ＵＥは、仮想アップリンクサブフレーム中でアップリンク情報を送信してもよい。態様において、仮想アップリンクサブフレーム中でアップリンク情報を送信することは、同一のサブフレーム中のダウンリンクトラフィックと、アップリンク情報を周波数多重化することを含んでいてもよい。態様において、ＵＥは、時分割デュプレックスにおける同一のサブフレーム中の、アップリンクとダウンリンクのトラフィック間のガード帯域をイネーブルして、相互干渉を緩和させてもよい。
【００６３】
［００７０］
図５は、本開示のある態様にしたがった、ＴＴＩバンドリングによりＵＬ位相連続性を達成する（例えば、上記で議論した第１の提案と第２の提案にしたがった）例示的な技術を図示している。図示しているように、ＴＴＩバンドル５０２は、アップリンク（Ｕ）サブフレームと、ダウンリンク（Ｄ）サブフレームと、特殊（Ｓ）サブフレームを含んでいる。態様において、（第１の提案にしたがった）技術５０４では、改善されたＵＬ位相連続性のために、第１のＵＬサブフレームの後、同一のバンドル５０２の終了の前には、電力制御／タイミング／周波数追跡の更新を実行しなくてもよい。（第２の提案にしたがった）技術５０６では、改善されたＵＬ位相連続性のために、ＴＴＩバンドル５０２の期間全体の間、ＤＬ監視を実行しなくてもよい。
【００６４】
［００７１］
上述した第１の提案したスキームおよび第２の提案したスキームは、別々にまたは共同に、通信システムによってサポートされ、アップリンク位相連続性を向上させることに留意されたい。
【００６５】
［００７２］
ある態様では、同一のバンドル中のＵＬ送信に対して、上述した第１の提案または第２の提案における、アクションを実行するか否かの決定は、バンドリングサイズに、シグナリングに、または、両方に基づいていてもよい。例えば、小さなバンドルサイズに対して、サブフレームに渡って、チャネル推定を別々に保つことができる場合、ＵＥは依然として、電力制御／タイミング／周波数追跡の更新を実行してもよく、および／または、ＤＬ送信を監視してもよい。ＵＥは、電力更新および／またはＤＬ監視をスキップするか否かを決定するために、バンドリングサイズを既知のしきい値と比較してもよい。
【００６６】
［００７３］
別の例として、決定はシグナリングに基づいていてもよい。例えば、第２の提案（または、第１の提案または２つの提案の組み合わせ）が、バンドルされたＵＬ送信の間にイネーブルにされてもよいことをＵＥに知らせるために、シグナリングは、ｅＮＢからＵＥへの１つ以上のビットを含んでいてもよい。
【００６７】
［００７４］
ある態様では、決定は、シグナリングとバンドリングサイズの両方に基づいていてもよい。バンドリングサイズは、ＵＬ送信に渡って変化するかもしれない可能性がある。いくつかのＵＬ送信は、（例えば、１つのサブフレームと等しい）第１のバンドリングサイズを使用するかもしれないが、他のいくつかのＵＬ送信は、（例えば、２０個のサブフレームと等しい）第２のバンドリングサイズを使用するかもしれない。ＤＬ監視をスキップすることの決定は、（このような特徴をイネーブルするための）シグナリングに、および、特有のＵＬ送信に対するバンドリングサイズ（例えば、バンドリングサイズが、しきい値より上か否か）に基づいていてもよい。
【００６８】
［００７５］
ある態様において、ＴＤＤに対して、どのスキームを使用するかの決定は、ＴＤＤ  ＤＬ／ＵＬサブフレームコンフィギュレーションにさらに依存していてもよい。所定のＴＴＩバンドリングサイズに対して、バンドルされたＵＬ送信が生じる時間期間は、ＴＤＤ  ＤＬ／ＵＬサブフレームコンフィギュレーションに依存する。例えば、６０個のＵＬサブフレームのバンドリングサイズに対して、ＴＤＤ  ＤＬ／ＵＬ＃０（ＤＳＵＵＵＤＳＵＵＵ）に対しては、アップリンク送信は１０個のフレームを使ってもよい。これに対して、ＴＤＤ  ＤＬ／ＵＬ＃１（ＤＳＵＵＤＤＳＵＵＤ）に対しては、アップリンク送信は１５個のフレームを使ってもよい。
【００６９】
［００７６］
ある態様に対して、スキームのうちの１つをイネーブルすることは、ＵＥ毎のベースでまたはセル毎ベースでなされてもよい。シグナリングはしたがって、（例えば、ブロードキャストを介して、または、専用シグナリングを介して）ＵＥ特有、または、セル特有であってもよい。さらに、スキームをイネーブルすることは、（例えば、無線リソース制御（ＲＲＣ）によって）準静的であってもよい。（例えば、制御チャネルを介して）動的にイネーブルすることも、可能であるかもしれない。
【００７０】
［００７７］
ある態様に対して、バンドルされたＤＬ送信に対して、ｅＮＢ側において、類似した設計を適用してもよい。例として、コヒーレントなチャネル推定をＵＥによって実行できるように、バンドルされたダウンリンク送信中のサブフレームのセットに対して、ｅＮＢによって、ＤＬの送信電力／タイミング／周波数追跡を維持できる。
【００７１】
［００７８］
上記で議論した本開示の態様を、ｅＮＢ側のバンドルされたＤＬ送信に適用してもよい。
【００７２】
［００７９］
ある態様では、ＴＴＩバンドルにおける（またはその一部分の）ＤＬ監視をＵＥがスキップするときのケースにおいて、ＤＬサブフレームおよび／また特殊サブフレームを、仮想ＵＬサブフレームとして効果的に取り扱ってもよい。仮想ＵＬサブフレームにおいて、ゼロ電力（例えば、送信なし）で、最小電力（例えば、最小の可能性ある電力）で、または、同一のバンドル中の標準ＵＬサブフレームと同一の電力で、ＵＥが送信してもよい。
【００７３】
［００８０］
図６は、本開示のある態様にしたがった、ダウンリンクサブフレームと特殊サブフレームを、仮想アップリンクサブフレームとして取り扱う、例示的なＴＴＩバンドルを図示している。図示しているように、公称ＤＬ／ＵＬサブフレームコンフィギュレーション６０２は、ダウンリンクサブフレームと特殊サブフレームを含んでいてもよい。しかしながら、実際のＵＥ送信に対して、ＤＬサブフレームおよび特殊サブフレームを、仮想ＵＬサブフレームとして取り扱ってもよく、したがって、１つのＴＴＩバンドル中の実際のＵＥ送信（例えば、６０４）は、（実際のアップリンクサブフレームと、仮想アップリンクサブフレームの両方を含んでいる）アップリンクサブフレームのみを含んでいてもよい。先に説明したように、ＵＥは、ＴＴＩバンドルの仮想ＵＬサブフレーム中でＵＬ情報を送信してもよい。
【００７４】
［００８１］
ある態様では、仮想ＵＬサブフレームにおいて、ＵＥは、同一のバンドルの実際のＵＬサブフレーム部分であるかのように、ＵＬ情報を送信してもよく、または、ＵＥは、いくつかのダミーＵＬ情報を送信してもよい。ある態様では、特に、仮想ＵＬサブフレームが、実際のＵＬ情報とともに、標準ＵＬサブフレームと同一の電力により送信されるとき、仮想ＵＬサブフレームは、バンドリングサイズの一部分としてカウントしてもよい。ある態様では、特に、仮想ＵＬサブフレームが、ゼロまたは最小の電力により、あるいは、ダミーＵＬ情報で送信されるとき、仮想ＵＬサブフレームは、バンドリングサイズの一部分からディスカウントしてもよい。
【００７５】
［００８２］
ある態様では、ＴＴＩバンドリングの間のＵＥは、典型的に、小さな割り当てサイズ（例えば、１つのＲＢ、または、より小さい）を有し、ＤＬサブフレームまたは特殊サブフレーム中のＵＬ送信を可能にする可能性があってもよく、ＵＬ送信は、同一のサブフレーム中のＤＬトラフィックと周波数多重化される。
【００７６】
［００８３］
図７は、本開示のある態様にしたがった、周波数多重化された、アップリンクトラフィック７０２およびダウンリンクトラフィック７０６を含んでいる、例示的なアップリンクサブフレームおよびダウンリンクサブフレームを図示している。ＴＤＤにおける同一のサブフレーム中の、ＵＬトラフィックとＤＬトラフィックの間に、ガード帯域７０４をイネーブルして、相互干渉を緩和させてもよい。このようなアイデアを、ＤＬ送信とＵＬ送信の両方が可能であるかもしれない、ＤＬサブフレーム（７１０）および／またはＵＬサブフレーム（７２０）に適用してもよい。しかしながら、ＵＬとＤＬを同一のノード（例えば、ｅＮＢが同一のサブフレーム中でＵＬを受信して、ＤＬを送信する）によって処理しなければならない場合、多くの複雑さを生成させるかもしれず、これは、実際の使用を非常に難しくする。これは、いくつかのＵＥによって、サブフレームを仮想ＵＬサブフレームとして取り扱う場合、ＤＬサブフレーム全体は何らＤＬ送信を含んでいないかもしれないことを意味しているかもしれない。
【００７７】
［００８４］
上述した方法のさまざまな動作は、図面中で図示されている動作／技術／ミーンズプラスファンクションブロックに対応しているさまざまなハードウェアおよび／またはソフトウェア／ファームウェアコンポーネントおよび／またはモジュールによって実行してもよい。本開示に関して説明したさまざまな実例となる論理ブロックとモジュールと回路を、汎用プロセッサや、デジタル信号プロセッサ（ＤＳＰ）や、アプリケーション特有集積回路（ＡＳＩＣ）や、フィールドプログラム可能ゲートアレイ信号（ＦＰＧＡ）または他のプログラム可能な論理デバイス（ＰＬＤ）や、ディクリートゲートまたはトランジスタ論理や、ディクリートハードウェアコンポーネントや、または、ここで記述した機能を実行するように設計されたこれらの任意の組み合わせによって、実現するか、実行してもよい。汎用プロセッサはマイクロプロセッサであってもよいが、代替において、プロセッサは、任意の商用利用可能なプロセッサ、制御装置、マイクロ制御装置、または、状態機械であってもよい。例えば、１つのＤＳＰと１つのマイクロプロセッサの組み合わせ、複数のマイクロプロセッサ、ＤＳＰコアとともに１つ以上のマイクロプロセッサ、または、他の何らかのこのようなコンフィギュレーションのような、コンピューティングデバイスの組み合わせとして、プロセッサは実現してもよい。
【００７８】
［００８５］
本開示に関連して説明した、方法またはアルゴリズムのステップを、ハードウェア中で、プロセッサによって実行されるソフトウェア／ファームウェアモジュール中で、または、これらの組み合わせにおいて、直接具現化してもよい。ソフトウェア／ファームウェアモジュールは、技術的に知られている記憶媒体の任意の形態で存在していてもよい。使用するかもしれない記憶媒体のいくつかの例は、ランダムアクセスメモリ（ＲＡＭ）、読み出し専用メモリ（ＲＯＭ）、フラッシュメモリ、ＥＰＲＯＭ（登録商標）メモリ、ＥＥＰＲＯＭ（登録商標）、位相変更メモリ（ＰＣＭ）、レジスタ、ハードディスク、リムーバブルディスク、ＣＤ−ＲＯＭ等を含んでいる。ソフトウェア／ファームウェアモジュールは、単一の命令または多くの命令を備えていてもよく、そして、いくつかの異なるコードセグメントを通して、異なるプログラムの間で、複数の記憶媒体に渡って分散してもよい。プロセッサが、記憶媒体から情報を読み取り、記憶媒体に情報を書き込むことができるように、記憶媒体は、プロセッサに結合されていてもよい。代替では、記憶媒体はプロセッサに対して必須であるかもしれない。
【００７９】
［００８６］
ここで開示した方法は、説明した方法を達成するための、１つ以上のステップまたはアクションを備えている。方法ステップおよび／またはアクションは、特許請求の範囲から逸脱することなく、別のものと交換してもよい。言い換えると、ステップまたはアクションの特定の順序が指定されない限り、特定のステップおよび／またはアクションの、順序および／または使用を、特許請求の範囲から逸脱することなく修正してもよい。
【００８０】
［００８７］
説明した機能は、ハードウェア中で、ソフトウェア／ファームウェア中で、または、これの組み合わせ中で実現してもよい。ソフトウェア／ファームウェア中で実現する場合、コンピュータ読取可能な媒体上の１つ以上の命令として、機能を記憶させてもよい。記憶媒体は、コンピュータによってアクセスできる任意の利用可能な媒体であってもよい。制限ではなく、例として、このようなコンピュータ読取可能媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコードを運ぶか記憶するのに使用でき、コンピュータによりアクセスできる他の何らかの媒体を備えることができる。ディスクは普通、データを磁気的に再生するが、ディスクがレーザーにより光学的にデータを再生する場合、ここで使用するディスクは、コンパクトディスク（ＣＤ）や、レーザーディスク（登録商標）や、光学ディスクや、デジタル汎用ディスク（ＤＶＤ）や、フロッピー（登録商標）ディスクや、ブルーレイ（登録商標）ディスクを含む。
【００８１】
［００８８］
ソフトウェア／ファームウェア命令を、送信媒体を通して送信してもよい。例えば、ソフトウェア／ファームウェアを、ウェブサイトから、サーバから、または、他の遠隔ソースから、同軸ケーブルや、光ファイバケーブルや、ツイストペア線や、デジタル加入者線（ＤＳＬ）や、赤外線と無線とマイクロ波のようなワイヤレス技術を使用して送信する場合、同軸ケーブルや、光ファイバケーブルや、ツイストペア線や、ＤＳＬや、赤外線と無線とマイクロ波のようなワイヤレス技術が、送信媒体の定義に含まれている。
【００８２】
［００８９］
さらに、ここで説明した方法および技術を実行する、モジュールおよび／または他の適切な手段は、ダウンロードでき、および／または、そうでなければ、ユーザ端末および／または基地局によって、適用可能な場合に取得されることを理解すべきである。例えば、ここで説明した方法を実行する手段の移行を促進するように、このようなデバイスはサーバに結合できる。代替的に、記憶手段をデバイスに結合するか提供する際に、ユーザ端末および／または基地局がさまざまな方法を取得できるように、ここで記述したさまざまな方法を、記憶手段（例えば、ＲＡＭや、ＲＯＭや、コンパクトディスク（ＣＤ）またはフロッピーディスク等のような物理記憶媒体）を介して提供できる。さらに、ここで説明した方法および技術をデバイスに提供する、他の何らかの適切な技術が利用できる。
【００８３】
［００９０］
特許請求の範囲は、上記で図示した正確なコンフィギュレーションおよびコンポーネントに限定されるものではないことを理解すべきである。特許請求の範囲から逸脱することなく、上述した方法および装置のアレンジメントと動作と詳細において、さまざまな修正や変更やバリエーションを行ってもよい。
【００８４】
［００９１］
先述のものは、本開示の実施形態に向けられているが、この基本的な範囲から逸脱することなく、開示の他のさらなる実施形態を考案してもよく、この範囲は、以下の特許請求の範囲によって決定される。
【図１】
2018164260.tif 000003
【図２】
2018164260.tif 000004
【図３】
2018164260.tif 000005
【図４】
2018164260.tif 000006
【図５】
2018164260.tif 000007
【図６】
2018164260.tif 000008
【図７】
2018164260.tif 000009
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
ユーザ機器、ＵＥ、によるワイヤレス通信のための方法において、
データをノードに送信するための複数のアップリンク、ＵＬ、サブフレームを含む送信時間間隔、ＴＴＩ、バンドルを識別することと、
前記ＴＴＩバンドルの期間の間、ダウンリンクサブフレームを監視することをスキップすることとを含み、
監視することは、ダウンリンク受信に対する時間および周波数の追跡を、オンにして規則的に更新することを含む方法。
【請求項２】
前記ＴＴＩバンドル中の１つ以上のアップリンクサブフレームを前記ノードに送信することと、
前記ＴＴＩバンドルの期間が完了した後、ダウンリンク監視を実行することとをさらに含む請求項１記載の方法。
【請求項３】
前記ＴＴＩバンドル中の、１つ以上のダウンリンクサブフレームと１つ以上の特別なサブフレームとを、仮想アップリンクサブフレームとして取り扱うことをさらに含む請求項１記載の方法。
【請求項４】
前記ＴＴＩバンドル中の他のアップリンクサブフレームの電力に類似する電力で、前記仮想アップリンクサブフレームを送信することをさらに含む請求項３記載の方法。
【請求項５】
前記仮想アップリンクサブフレーム中でアップリンク情報を送信することをさらに含む請求項３記載の方法。
【請求項６】
前記仮想アップリンクサブフレーム中で前記アップリンク情報を送信することは、
同一のサブフレーム中のダウンリンクトラフィックと、前記アップリンク情報を周波数多重化することを含む請求項５記載の方法。
【請求項７】
時分割デュプレックス中の同一のサブフレーム中の、アップリンクとダウンリンクのトラフィック間のガード帯域をイネーブルして、相互干渉を緩和させることをさらに含む請求項６記載の方法。
【請求項８】
ユーザ機器、ＵＥ、によるワイヤレス通信のための装置において、
データをノードに送信するための複数のアップリンク、ＵＬ、サブフレームを含む送信時間間隔、ＴＴＩ、バンドルを識別するようにと、
前記ＴＴＩバンドルの期間の間、ダウンリンクサブフレームを監視することをスキップするように構成されている少なくとも１つのプロセッサと、
前記少なくとも１つのプロセッサに結合されているメモリとを具備し、
監視することは、ダウンリンク受信に対する時間および周波数の追跡を、オンにして規則的に更新することを含む装置。
【請求項９】
コンピュータ上で実行するとき、請求項１から７のうちのいずれかにしたがう方法を実行するための命令を備えるコンピュータプログラム。
【手続補正２】
【補正対象書類名】明細書
【補正対象項目名】００８４
【補正方法】変更
【補正の内容】
【００８４】
［００９１］
先述のものは、本開示の実施形態に向けられているが、この基本的な範囲から逸脱することなく、開示の他のさらなる実施形態を考案してもよく、この範囲は、以下の特許請求の範囲によって決定される。
以下に、本願出願時の特許請求の範囲に記載された発明を付記する。
［１］ユーザ機器（ＵＥ）によるワイヤレス通信のための方法において、
データをノードに送信するための複数のアップリンク（ＵＬ）サブフレームを含む送信時間間隔（ＴＴＩ）バンドルを識別することと、
前記ＴＴＩバンドル中のＵＬサブフレームのセグメントを識別することと、
前記ＴＴＩバンドル中のＵＬサブフレームのセグメントを通してデータを前記ノードに送信するときに、送信電力を維持することとを含む方法。
［２］前記ＵＬサブフレームのセグメントは、仮定したコヒーレントな推定間隔に対応する［１］記載の方法。
［３］前記ＵＬサブフレームのセグメントは、前記ＴＴＩバンドル中の複数のＵＬサブフレームに対応する［１］記載の方法。
［４］前記セグメントのサイズは、準静的に構成されている［１］記載の方法。
［５］前記ＴＴＩバンドル中の前記ＵＬサブフレームのセグメントを通して送信電力を維持することは、アップリンク電力制御コマンドを監視することをスキップすることか、または、前記アップリンク電力制御コマンドを監視するが、適用することをスキップすることのうちの少なくとも１つを含む［１］記載の方法。
［６］前記ＴＴＩバンドル中の前記ＵＬサブフレームのセグメントを通して、タイミングまたは周波数のうちの少なくとも１つを維持することをさらに含む［１］記載の方法。
［７］前記ＴＴＩバンドル中の前記ＵＬサブフレームのセグメントを通して、タイミングまたは周波数のうちの少なくとも１つを維持することは、同一のＴＴＩバンドルのセグメント毎のベースでＵＬ送信と周波数を更新することを含む［６］記載の方法。
［８］セグメントにわたるＵＬタイミングと周波数の更新は、前記ノードによって発行されるタイミングアドバンス（ＴＡ）コマンドによってトリガされる［７］記載の方法。
［９］前記ＴＡコマンドは、新たなセグメントの開始をシグナリングする［８］記載の方法。
［１０］セグメントサイズは準静的に構成され、
前記ＵＥは、ＴＡコマンドを受信した後、次のセグメント中のＵＬタイミングと周波数を更新する［８］記載の方法。
［１１］各セグメント内のＤＬ（ダウンリンク）とＵＬの両方に対して、時間と周波数の追跡をディセーブルすることをさらに含む［１］記載の方法。
［１２］前記ＴＴＩバンドルの期間の間、ダウンリンクサブフレームを監視することをスキップすることをさらに含む［１］記載の方法。
［１３］前記ノードから受信した信号に少なくとも部分的に基づいて、前記セグメントを通して送信電力を維持するか否かを決定することをさらに含む［１］記載の方法。
［１４］前記ノードから受信した前記信号は、前記セグメントを通して送信電力を維持することをイネーブルするビット信号を含む［１３］記載の方法。
［１５］前記信号は、セル特有である［１３］記載の方法。
［１６］前記信号は、準静的である［１３］記載の方法。
［１７］前記バンドルのサイズに少なくとも部分的に基づいて、前記セグメントの間に送信電力を維持するか否かを決定することをさらに含む［１］記載の方法。
［１８］前記バンドルのサイズが、しきい値よりも大きい場合、送信電力を維持するように決定することをさらに含む［１７］記載の方法。
［１９］時分割デュプレックス（ＴＤＤ）ダウンリンク／アップリンクサブフレームコンフィギュレーションに基づいて、送信電力を維持するか否かを決定することをさらに含む［１７］記載の方法。
［２０］ユーザ機器（ＵＥ）によるワイヤレス通信のための方法において、
データをノードに送信するための複数のアップリンク（ＵＬ）サブフレームを含む送信時間間隔（ＴＴＩ）バンドルを識別することと、
前記ＴＴＩバンドルの期間の間、ダウンリンクサブフレームを監視することをスキップすることとを含む方法。
［２１］前記ダウンリンクサブフレームを監視することをスキップすることは、すべてのダウンリンクの信号およびチャネルの受信を無視することを含む［２０］記載の方法。
［２２］前記ダウンリンクサブフレームを監視することをスキップすることは、少なくともいくつかのダウンリンクの信号およびチャネルの受信を無視することを含む［２０］記載の方法。
［２３］前記ＴＴＩバンドル中の１つ以上のアップリンクサブフレームを前記ノードに送信することと、
前記ＴＴＩバンドルの期間が完了した後、ダウンリンク監視を実行することとをさらに含む［２０］記載の方法。
［２４］前記ＴＴＩバンドル中の、１つ以上のダウンリンクサブフレームと１つ以上の特別なサブフレームとを、仮想アップリンクサブフレームとして取り扱うことをさらに含む［２０］記載の方法。
［２５］前記ＴＴＩバンドル中の他のアップリンクサブフレームの電力に類似する電力で、前記仮想アップリンクサブフレームを送信することをさらに含む［２４］記載の方法。
［２６］前記仮想アップリンクサブフレーム中でアップリンク情報を送信することをさらに含む［２４］記載の方法。
［２７］前記仮想アップリンクサブフレーム中で前記アップリンク情報を送信することは、
同一のサブフレーム中のダウンリンクトラフィックと、前記アップリンク情報を周波数多重化することを含む［２６］記載の方法。
［２８］時分割デュプレックス中の同一のサブフレーム中の、アップリンクとダウンリンクのトラフィック間のガード帯域をイネーブルして、相互干渉を緩和させることをさらに含む［２７］記載の方法。
［２９］ユーザ機器（ＵＥ）によるワイヤレス通信のための装置において、
データをノードに送信するための複数のアップリンク（ＵＬ）サブフレームを含む送信時間間隔（ＴＴＩ）バンドルを識別するようにと、
前記ＴＴＩバンドル中のＵＬサブフレームのセグメントを識別するようにと、
前記ＴＴＩバンドル中のＵＬサブフレームのセグメントを通してデータを前記ノードに送信するときに、送信電力を維持するように構成されている少なくとも１つのプロセッサと、
前記少なくとも１つのプロセッサに結合されているメモリとを具備する装置。
［３０］ユーザ機器（ＵＥ）によるワイヤレス通信のための装置において、
データをノードに送信するための複数のアップリンク（ＵＬ）サブフレームを含む送信時間間隔（ＴＴＩ）バンドルを識別するようにと、
前記ＴＴＩバンドルの期間の間、ダウンリンクサブフレームを監視することをスキップするように構成されている少なくとも１つのプロセッサと、
前記少なくとも１つのプロセッサに結合されているメモリとを具備する装置。
【外国語明細書】
2018164260000001.pdf